(57)【要約】      （修正有）【課題】蓋の開閉動作がスムーズで、蓋の開閉時に生じる音を低減させることができる薄型容器を提供する。【解決手段】蓋２および容器本体３からなり、蓋と前記容器本体は、各々の後端に設けられたヒンジ機構によって互いに回動可能に接続され、各々の前端に設けられた係合機構によって互いに固定されて閉じられる薄型容器１であって、係合機構は、蓋の前端に設けられたフック４の凸部５と、容器本体の前端に設けられた係合部６とが互いに係合する機構であり、フックは、蓋の前端から容器本体に向かって斜めに延伸する片持ち梁形状を有し、先端に凸部が形成されている。【選択図】図１
2016202473.tif 000002
【特許請求の範囲】
【請求項１】
蓋および容器本体からなり、前記蓋と前記容器本体は、各々の後端に設けられたヒンジ機構によって互いに回動可能に接続され、各々の前端に設けられた係合機構によって互いに固定されて閉じられる薄型容器であって、
前記係合機構は、前記蓋の前端に設けられたフックの凸部と、前記容器本体の前端に設けられた係合部とが互いに係合する機構であり、
前記フックは、前記蓋の前端から前記容器本体に向かって斜めに延伸する片持ち梁形状を有し、先端に前記凸部が形成されていることを特徴とする薄型容器。
【請求項２】
前記フックに、前記フックを弾性変形し易くするための変形部を設けていることを特徴とする請求項１に記載の薄型容器。
【請求項３】
前記変形部は、前記フックに形成した少なくとも１つの開口またはスリットであることを特徴とする請求項２に記載の薄型容器。
【請求項４】
前記変形部は、前記フックの厚みを部分的に薄くすることによって設けられていることを特徴とする請求項２に記載の薄型容器。
【発明の詳細な説明】
【技術分野】
【０００１】
本発明は、コンパクト等の薄型容器に関する。
【背景技術】
【０００２】
化粧料容器の１つであるコンパクトのような薄型容器は、蓋と容器本体からなり、前記蓋を閉じた状態で前記容器本体に固定するためのフックが前記蓋に一体成形され、スライド部材を押してフックの係合を解除する構造が用いられている（特許文献１，２参照）。コンパクトなどの薄型容器は、バッグなどに入れて持ち運ぶことが多いことから、持ち運ぶ時にバッグの中などで蓋が開かないように、蓋と容器本体との係合状態を強固に保つことが求められている。
【先行技術文献】
【特許文献】
【０００３】
【特許文献１】特開２００５−２４５９４９号公報
【特許文献２】特開２００５−０４６５４７号公報
【特許文献３】特許第３９６７０７２号公報
【特許文献４】特許第４０３０６９８号公報
【特許文献５】実用新案登録２５９９９１８号公報
【発明の概要】
【発明が解決しようとする課題】
【０００４】
前記薄型容器において蓋と容器本体との係合を強固に保つようにした場合、蓋を開閉するために強固な係合を解除しようとしてスライド部材を押す際にある程度の力が必要となり、蓋の開閉をスムーズに行うことが難しくなる。また、蓋を開閉する際に係合部材の１つとして用いられているフックに軋みが生じて音が生じるという問題がある。このような蓋の開閉時の音は、開閉時に蓋のフックが、上下に移動しながら、係合を解除するために水平方向にも変形することによって生じている。
【０００５】
このような蓋の開閉時の音を軽減する方法として、容器本体に別途の弾性部材を設ける構造を用いた容器が存在する（特許文献３〜５）。しかしながら、容器本体に別途の弾性部材を設ける方法では、部品数が増加して容器本体の構造が複雑になり、かつ、製造コストが増加するという問題がある。そこで、本発明は、部品数を増加させることなく、蓋をスムーズに開閉することが可能であり、かつ蓋の開閉音を低減することが可能な薄型容器を提供することを目的とする。
【課題を解決するための手段】
【０００６】
本発明の薄型容器は、蓋および容器本体からなり、前記蓋と前記容器本体は、各々の後端に設けられたヒンジ機構によって互いに回動可能に接続され、各々の前端に設けられた係合機構によって互いに固定されて閉じられる薄型容器であって、前記係合機構は、前記蓋の前端に設けられたフックの凸部と、前記容器本体の前端に設けられた係合部とが互いに係合する機構であり、前記フックは、前記蓋の前端から前記容器本体に向かって斜めに延伸する片持ち梁形状を有し、先端に前記凸部が形成されていることを特徴とする。
【０００７】
前記フックに、前記フックを弾性変形し易くするための変形部を設けており、前記変形部は、前記フックに形成した少なくとも１つの開口またはスリットとする、あるいは、前記変形部は、前記フックの厚みを部分的に薄くすることによって設けられている。
【発明の効果】
【０００８】
本発明の薄型容器は、蓋および容器本体からなり、前記蓋と前記容器本体は、各々の後端に設けられたヒンジ機構によって互いに回動可能に接続され、各々の前端に設けられた係合機構によって互いに固定されて閉じられる薄型容器であって、前記係合機構は、前記蓋の前端に設けられたフックの凸部と、前記容器本体の前端に設けられた係合部とが互いに係合する機構であり、前記フックは、前記蓋の前端から前記容器本体に向かって斜めに延伸する片持ち梁形状を有し、先端に前記凸部が形成されていることにより、蓋を開閉する際に前記フックが変形し易くなりスムーズな蓋の開閉動作を実現し、前記係合機構に軋みが生じ難くなることで蓋の開閉音を低減することが可能となり、従来の容器に用いられていた別途の弾性部材を排除することで部品数を低減し、製造コストを低減させることが可能となる。
【０００９】
そして、前記フックには、前記フックを弾性変形し易くするための変形部を設けており、前記変形部は、前記フックに形成した少なくとも１つの開口またはスリットとすること、あるいは、前記変形部は、前記フックの厚みを部分的に薄くすることによって設けられていることにより、前記フックをより変形し易くすることで、蓋をよりスムーズに開閉することが可能となり、蓋の開閉時の音をより低減することが可能となる。
【図面の簡単な説明】
【００１０】
【図１】本発明の第１の実施形態の薄型容器の断面図であり、（ａ）が蓋を閉じた状態の断面図であり、（ｂ）が蓋を開けた状態の断面図である。
【図２】第１の実施形態における蓋のフックの拡大断面図である。
【図３】第１の実施形態における蓋の斜視図である。
【図４】第１の実施形態における蓋のフックの拡大斜視図である。
【図５】第２の実施形態の薄型容器における蓋のフックの拡大斜視図である。
【図６】第３の実施形態の薄型容器の断面図である。
【図７】第３の実施形態における蓋のフックの拡大断面図である。
【図８】第３の実施形態における蓋のフックの拡大斜視図である。
【発明を実施するための形態】
【００１１】
本発明の薄型容器１について図を用いて以下に詳細に説明する。図１が本発明の第１の実施形態の薄型容器１の断面図であり、図２が前記薄型容器１の蓋２のフック４の拡大断面図、図３が前記蓋２の斜視図、図４が前記蓋２のフック４の拡大斜視図である。
【００１２】
本発明の第１の実施形態の薄型容器１は、図１に示すように、化粧料等を収容する収容部７を有する容器本体３および前記容器本体３の収容部７を閉じるための蓋２からなる。前記蓋２および前記容器本体３は、それぞれ金型内に樹脂を注入して成形する射出成形によって成形された後、前記蓋２と前記容器本体３は、前記蓋２および前記容器本体３の後端に設けられたヒンジ機構であるヒンジ８によって互いに回動可能に接続されており、前記蓋２がヒンジ８を中心に、図１（ｂ）に矢印で示すような方向に回動することで前記薄型容器１は開閉される。
【００１３】
前記薄型容器１は、図１に示すように、前記蓋２を閉じた時に前記蓋２を前記容器本体３に固定し、閉じた状態を保つための係合機構を前記蓋２の前端および前記容器本体３の前端に有する。前記係合機構は、前記蓋２の前端に設けたフック４の先端の凸部５と、前記容器本体３の前端に設けた係合部６とによって構成され、前記フック４の凸部５と前記係合部６とが互いに係合される。
【００１４】
図２〜４に示すように、前記フック４は前記蓋２に一体成形されており、前記フック４は、前記蓋２の本体９と前壁１０とのコーナー部分を始点とし、図２，４に示すように、前記蓋２の本体９に対して斜めに傾斜し、前記容器本体３に向かって延伸する片持ち梁形状を有し、先端の垂直な面から水平方向に突出するように前記凸部５が一体に形成されている。
【００１５】
前記フック４は、前記蓋２の前端を支点とした片持ち梁として形成されていることから、先端に力が作用すると変形し易くなっている。特に、前記フック４の先端に力が作用すると支点を中心に変形し易い形状であり、これによって前記蓋２の開閉時に前記フック４はスムーズに変形することができる。
【００１６】
前記係合部６は、前記容器本体３の前端の壁を略コの字状の平面形状に形成し、前記略コの字状の空間内を水平方向に摺動可能に配置されたフックピース１２、および、略コの字状の壁に前記フックピース１２の方へと水平方向に突出するように形成された凸部１１を含み、前記フック４の先端の凸部５が前記係合部６の凸部１１を乗り越えて下方に移動し、前記係合部６の凸部１１と係合することによって、前記フック４と前記係合部６の係合が行われる。
【００１７】
前記係合部６の構造は特に限定するものではなく、前記フック４の凸部５が係合できる構造であればよく、例えば、前記フックピース１２を用いないで、前記容器本体３の前端の壁に凹部を設けて、前記フック４の凸部５が前記凹部に嵌合される構造とすることも可能である。
【００１８】
前記容器本体３には、１つの収容部７を設けているが、その数および形状は、収容する物に応じて適宜変更可能であり、例えば、仕切り板を設けて化粧料を収容する化粧料収容部と、化粧用具を収容する化粧用具収容部の２つの収容部を配置することも可能である。また、前記収容部７に着脱可能なパレットなどを配置することも可能である。
【００１９】
前記蓋２を前記容器本体３の上面と接触する方向にヒンジ８を中心に回動させて、前記フック４の先端の凸部５を前記係合部６の凸部１１を乗り越えて下方に移動させると、図１（ａ）に示すように、前記フック４が前記係合部６と係合し、前記蓋２は前記容器本体３に固定され、前記薄型容器１は閉じられた状態となる。そして、前記係合部６のフックピース１２を水平方向（図１（ａ）の場合、右方向）に押すと、前記フックピース１２が前記フック４と当接し、前記フック４に上方への力が作用し、前記フック４の凸部５が前記係合部６の凸部１１を乗り超えて上方へと移動され、前記フック４と前記係合部６の凸部１１との係合が解除される。その後、前記蓋２を前記容器本体３から離れる方向へと回動させると、図１（ｂ）に示すように、前記薄型容器１は開いた状態となる。
【００２０】
このような前記蓋２の開閉動作を行う際に、前記フック４の凸部５は、前記係合部６の凸部１１を乗り越える動作を行う。この時、前記フック４は先端側が上下に移動するように変形すると同時に水平方向（図１の場合、左側）に前記凸部５に力が作用し変形する。このような前記蓋２の開閉時において、前記フック４は片持ち梁形状を有していることによって変形し易くなっており、前記フック４は撓むようにスムーズに変形し、前記凸部５がスームーズに前記係合部６の凸部１１を乗り越えて移動することができる。よって本発明の薄型容器１は、前記蓋２の開閉時に前記フック４による軋みが少なくなり、スムーズに前記蓋２の開閉動作を行うことが可能になり、前記蓋２の開閉時の音を低減することが可能となる。
【００２１】
前記フック４の形状は、片持ち梁形状であればよく、図に示す形状以外に適宜変更可能であり、全体を湾曲させた片持ち梁形状とすることも可能である。また、前記凸部５の形状も変更可能であり、その大きさも、本実施形態のように前記フック４と同じ幅とするのではなく、前記フック４よりも幅を狭くすることも可能である。そして、前記係合部６の形状および構造についても適宜変更可能である。
【００２２】
次に、前記フック４を弾性変形し易くするための変形部を前記フック４に設けた第２の実施形態の薄型容器１について説明する。第２の実施形態の薄型容器１は、第１の実施形態の薄型容器１の前記フック４に変形部として開口１４を設けた形態である。第２の実施形態は、前記フック４に設けた開口１４以外は第１の実施形態の薄型容器１と同じ構造であることから、各部材については同一の符号を用いて説明し、図面については、図４の代わりとなる図５を用いて説明する。
【００２３】
第２の実施形態は、前記フック４を弾性変形し易くするために、変形部として開口１４を設けたものであり、前記開口１４を前記フック４に２つ並べて形成している。前記開口１４は前記フック４を垂直方向に貫通する開口であり、横方向に２つ並べて形成されている。前記開口１４を設けることによって、図５に記載の前記フック４は、図４に記載の前記フック４と比べて剛性が低下しており、変形し易いことが明らかである。
【００２４】
第２の実施形態の薄型容器１は、前記開口１４である変形部を前記フック２に設けることにより、前記フック２は剛性が低下し、より変形し易くなり、前記蓋２を開閉する際に、よりスムーズに開閉することが可能となり、開閉時の音もより低減することが可能となる。
【００２５】
前記開口１４の形状、個数および配置は適宜変更可能である。例えば、開口の形状を円形とすることも可能であり、また、小さな開口を多数形成することも可能である。さらに、前記開口１４は前記フック４を上下に貫通するように形成しているが、前記フック４の側面を水平方向に貫通する開口を形成することも可能である。また、前記開口１４を設ける場合には、前記フック４の剛性を低下させることになるが、耐久性などを考慮して必要な強度を確保する必要がある。また、開口以外にスリットを変形部として前記フック２に設けることも可能であり、その形状、設ける場所等についても適宜設定することができる。
【００２６】
次に、第３の実施形態の薄型容器２１について図を用いて以下に詳細に説明する。図６が本発明の第３の実施形態の薄型容器２１の断面図であり、図７が前記薄型容器２１の蓋２２のフック２４の拡大断面図、図８が前記蓋２２のフック２４の拡大斜視図である。
【００２７】
本発明の第３の実施形態の薄型容器２１は、図６に示すように、収容部７を有する容器本体３、および、前記容器本体３の収容部７を閉じるための蓋２２からなり、前記容器本体３および前記蓋２２は、それぞれ樹脂の射出成形によって成形されている。前記蓋２２および前記容器本体３は、前記蓋２２および前記容器本体３の後端に設けられたヒンジ８によって互いに回動可能に接続されており、前記蓋２２がヒンジ８を中心に回動することで前記薄型容器２１は開閉される。
【００２８】
前記薄型容器２１は、前記蓋２２を閉じた時に前記容器本体３に固定し、閉じた状態を保つための係合機構を前記蓋２２の前端および前記容器本体３の前端に有する。前記係合機構は、前記蓋２２の前端の内側面に設けたフック２４と、前記容器本体３の前端に設けた係合部６とによって構成され、前記フック２４と前記係合部６の凸部１１とが互いに係合される。前記容器本体３は前記係合部６を含め他の実施形態と同じ構造を用いていることから詳細な説明は省略する。
【００２９】
図７に示すように、前記蓋２２と前記フック２４が一体成形されており、前記フック２４は、前記蓋２２の本体２９と前壁３０とのコーナー部分を始点とし、図７，８に示すように、前記蓋２２の本体２９に対して斜めに傾斜し、前記容器本体３に向かって延伸する片持ち梁形状を有し、先端の垂直な面から水平方向に突出するように前記凸部２５が前記フック２４に一体に形成されている。
【００３０】
第２の実施形態と同様に前記フック２４を変形し易くするために変形部を前記フック２４に設けているが、本実施形態では前記フック２４の厚みを部分的に薄くすることにより変形部を設けている。本実施形態における前記変形部は、前記フック２４の片持ち梁形状の中央付近の厚みが薄くなるように、前記蓋２２の本体２９側の面を曲面で構成し、窪みを設けている。前記フック２４の容器本体３側の面は平坦に形成している。
【００３１】
前記フック２４は片持ち梁形状の中央付近の厚みを薄くして変形部とすることにより、前記フック２４に力が作用した場合、前記フック２４が片持ち梁として変形する際に剛性が低下している中央付近が折れ曲がるように変形することから、単なる片持ち梁形状よりも変形し易くなる。これにより、第３の実施形態の薄型容器２１は、前記蓋２２を開閉する際に、よりスムーズに開閉することが可能となり、開閉時の音をより低減することが可能となる。
【００３２】
本実施形態では、前記フック２４の厚みを部分的に薄くすることにより変形部を設けているが、本実施形態のように前記フック２４の前記蓋２２側の面を窪ませるのではなく、反対側の前記容器本体３側の面を窪ませて前記フック２４の厚みを薄くすることも可能である。また、前記フック２４の両面を窪ませて厚みを薄くすることも可能である。さらに、前記フック２４の厚みを薄くする場所についても変更可能であり、前記フック２４の先端に向かって厚みを薄くすることも可能である。前記変形部は、前記フック２４に必要な強度を確保できる範囲内で前記フック２４の水平方向の剛性を低減し変形し易くするものであればよい。
【００３３】
このように、本発明の薄型容器１，２１は、様々な形態で前記フック４，２４に変形部を設けることが可能であり、前記変形部を設けることにより前記フック４，２４を変形し易くして前記薄型容器１，２１の開閉動作をよりスムーズに行うことを可能とし、さらに開閉時に発生する音をより低減させることができる。
【符号の説明】
【００３４】
１      薄型容器
２      蓋
３      容器本体
４      フック
５      凸部
６      係合部
７      収容部
８      ヒンジ
９      本体
１０    前壁
１１    凸部
１２    フックピース
１４    開口
２１    薄型容器
２２    蓋
２４    フック
２５    凸部
２９    本体
３０    前壁
【図１】
2016202473.tif 000003
【図２】
2016202473.tif 000004
【図３】
2016202473.tif 000005
【図４】
2016202473.tif 000006
【図５】
2016202473.tif 000007
【図６】
2016202473.tif 000008
【図７】
2016202473.tif 000009
【図８】
2016202473.tif 000010